(57)【要約】【課題】本発明は、密集した環境、または見えない環境において、使用者がより容易に同軸コネクタ要素を含む同軸コードを把持できるような同軸コネクタ要素を提供することを目的とする。【解決手段】本発明は、同軸コネクタ要素に関し、同軸コネクタ要素は、・本体と、・絶縁体が挿入された本体に取り付けられた少なくとも１つの中心コンタクトと・同軸ケーブルを収容し、使用者が握るための把持部を形成する柔軟性スリーブと・相補的なコネクタ要素と結合するための螺旋溝を含む中空プラグとを備え、プラグおよびスリーブは単一一体型ユニットを形成する。【選択図】図１
2010092862.tif 000002
【特許請求の範囲】
【請求項１】
本体と、
絶縁体が挿入された前記本体に取り付けられた少なくともひとつの中央コンタクトと、
同軸ケーブルを収容し、使用者が握るための把持部を形成する柔軟性スリーブと、
相補的なコネクタ要素と結合するための螺旋溝を含む中空プラグと、
を備え、前記プラグと前記スリーブとが単一一体型ユニットを形成する同軸コネクタ要素。
【請求項２】
前記プラグと前記スリーブとが異なる部品であって、該プラグと該スリーブとを共に持続的に締結可能な浮き彫りの協働部品を含むことを特徴とする請求項１に記載のコネクタ要素。
【請求項３】
前記プラグがその外表面に少なくとも１つのキーを有する後部を含み、
前記スリーブがその内表面に形成された少なくとも１つのセットバックを有する前部を含み、
前記プラグと前記スレーブとがともに締結される場合に、前記キーが前記セットバックに挿入されるように配置されている
ことを特徴とする請求項２に記載のコネクタ要素。
【請求項４】
前記プラグの前記後部が、その外表面に少なくとも１つのリングを含み、該リングが、前記後部周囲の少なくとも一部分に延在し、
前記プラグの前記前部が、その内表面の周囲の少なくとも一部分に形成された溝を含み、
前記プラグが前記スリーブに締結される場合に、前記リングが前記溝に挿入されるように配置されている
ことを特徴とする請求項３に記載のコネクタ要素。
【請求項５】
前記プラグがプラスチック材料から作られていることを特徴とする請求項１に記載のコネクタ要素。
【請求項６】
前記プラスチック材料が透明であることを特徴とする請求項５に記載のコネクタ要素。
【請求項７】
前記スリーブがプラスチック材料から作られていることを特徴とする請求項１に記載のコネクタ要素。
【請求項８】
前記プラスチック材料が着色剤を含んでいることを特徴とする請求項７に記載のコネクタ要素。
【請求項９】
前記プラグと前記スリーブとが単独の部品として作られていることを特徴とする請求項１に記載のコネクタ要素。
【請求項１０】
前記プラグと前記スリーブとがプラスチック材料で作られていることを特徴とする請求項９に記載のコネクタ要素。
【請求項１１】
前記プラグの前記プラスチック材料、および／または前記スリーブの前記プラスチック材料が、発光添加剤を含んでいることを特徴とする請求項５または請求項１０に記載のコネクタ要素。
【請求項１２】
前記プラグが少なくとも１つの空洞を含み、前記コネクタ要素が少なくとも１つのラグを有する少なくとも１つのリングを含み、前記ラグは、前記本体と前記プラグを共に保持するために前記空洞と協働するような形状であることを特徴とする請求項１に記載のコネクタ要素。
【請求項１３】
前記本体は、前記外表面の全周または一部に延在し、第一肩部によって片側にへりをつけた溝を外表面に含み、前記コネクタ要素は、弾性リングと平分割リングとを含み、該弾性リングは、前記第一肩部を越えて前記溝の外側へ移動可能であり、該平分割リングは、前記溝の中を自由に平行移動可能、かつ前記第一肩部に当接可能であることを特徴とする請求項１２に記載のコネクタ要素。
【請求項１４】
前記プラグの前面がカップ形状にカットされていることを特徴とする請求項１２に記載のコネクタ要素。
【請求項１５】
前記プラグ、および／または前記スリーブが、それらの外表面から突出した突起を含み、前記プラグおよび／または前記スリーブが楕円形または卵形の輪郭であることを特徴とする請求項１２に記載のコネクタ要素。
【発明の詳細な説明】
【技術分野】
【０００１】
本発明は、同軸コネクタ要素に関する。特に本発明は、高解像度デジタルテレビ用のＢＮＣ（ｂａｙｏｎｅｔ  Ｎｅｉｌｌ−Ｃｏｎｃｅｌｍａｎ）型同軸コネクタ要素に適用し、このようなコネクタ要素は例えば、ベイに取り付けられた様々な高周波モジュールを相互接続している同軸ケーブルをつなぐために使用される。いずれにせよ、本発明は、特にこのタイプのコネクタに制限されるものではない。
【背景技術】
【０００２】
このタイプに適用する既知のコネクタ要素の把持面は、プラグによってのみ形成される。その結果、把持面は比較的小さい範囲となり、そのためこのようなコネクタ要素を含む同軸コードを密集した環境または見えない状況にて操作することが難しくなる。このような環境は、例えば高解像度デジタルテレビ用のベイなどにより形成される。
【０００３】
例えば米国特許第３１２，８１４号によりプラグの長さを伸ばすことによりコネクタ要素の把持が改善されたが、それにより、より長いコネクタ要素の内部部品、例えばコネクタ要素本体または中心コンタクトなどが必要となり、および／またはケーブルを圧着するために開発された特別な工具が必要となるということが知られている。
【０００４】
米国特許公開第２００２／００３９８５３号に、スリーブおよびプラグを備えるコネクタ要素が開示されており、スリーブを把持部分として使用することを可能にするように、追加的な中間部品を用いることにより、スリーブはプラグと共に回転することを強制される。この解決方法は、プラグにスリーブを接続するための追加的な部品が必要であるという不都合と、ユーザが把持することができるように機械的に十分硬く、かつケーブルがスリーブに設けられた開口部を通過できるように十分柔軟なスリーブを得るために、スリーブを作るために二重射出方法が必要であるという不都合とが存在する。
【０００５】
米国特許第４，７４６，３０５号は、柔軟なスリーブのない、二つの部分のプラグを有する同軸コネクタを開示し、同軸コネクタは、コネクタが接続されている同軸ケーブルと同時に動くことができる。
【０００６】
また米国特許第６，８０８，４０７号は、柔軟なスリーブのない、二つの部品のプラグを備える同軸コネクタを開示している。
【発明の概要】
【発明が解決しようとする課題】
【０００７】
密集した環境、または見えない環境において、使用者がより容易に同軸コネクタ要素を含む同軸コードを把持できるようにする必要があり、これを、簡単かつ安価な方法にて達成する必要がある。
【課題を解決するための手段】
【０００８】
本発明は、この要求を満たし、この目的を達成する同軸コネクタ要素は、
・本体と、
・絶縁体が挿入された本体に取り付けられた少なくとも１つの中心コンタクトと、
・同軸ケーブルを収容し、使用者が握るための把持部を形成する柔軟性スリーブと、
・相補的なコネクタ要素と結合するための螺旋溝を含む中空プラグと
を備え、プラグおよびスリーブは単一一体型ユニットを形成する。
【０００９】
一体型ユニットとしてプラグおよびスリーブを作ることにより、本発明は、スリーブを把持部として使用することを可能にする。
【００１０】
既知の解決方法とは異なり、本発明は、意図する適用に依存して本体の長さ、およびコネクタ要素の内部部品の長さ、特に中心コンタクトの長さ、およびコネクタの絶縁体長さを変更する必要なく、把持部の長さを長く、または短くすることが可能である。
【００１１】
スリーブは、同軸ケーブルを保護し、同軸ケーブルの動きに伴うように、好都合に構成されている。
【００１２】
例によると、スリーブは、同軸ケーブルに直接接触している。スリーブは、同軸ケーブルがスリーブに収納される場合に、同軸ケーブルが動く、例えばねじれる、ことができるように構成されることが可能である。
【００１３】
本発明の第一の例示的な実施形態において、プラグおよびスリーブは、異なる部品であり、プラグおよびスリーブを共に持続的に締結可能な浮き彫りの協働部分を含む。
【００１４】
この第一の例示的な実施形態において、プラグおよびスリーブは、持続的な手段により共に締結され、これはこの方法により共に組み立てられる二つの部品は、使用者によって分解されることがないということを意味する。
【００１５】
プラグは、その外表面に少なくともひとつのキーを好都合に有する後部を含み、スリーブは、その内表面に形成された少なくともひとつのセットバックを好都合に有する前部を含み、かつキーは、セットバックに挿入されるように好都合に配置され、それにより、プラグおよびスリーブを共に締結する場合に、スリーブおよびプラグが互いに相対的に回転することを防ぐ。
【００１６】
プラグの後部は、その外表面に少なくともひとつのリングを好都合に含み、リングは、前記後部周囲の少なくとも一部分に延在し、スリーブ前部は、その内表面の周囲の少なくとも一部分に配置された溝を好都合に含み、かつリングは、プラグおよびスリーブが共に締結される場合に溝に挿入されるように好都合に配置され、それによりスリーブおよびプラグ互いに相対的に平行移動することを防ぐ。
【００１７】
本発明の手段により、追加的な部品を必要とせずに、プラグおよびスリーブは、互いにしっかりと固定される。
【００１８】
プラグは、好都合にプラスチック材料より、例えば射出成形にて作られており、それによって電気絶縁特性を設けることが可能なため、同軸ケーブルをベイに接続する場合に、使用者は完全に安全にコネクタ要素使用することができる。さらにプラスチック材料の使用により、重量を軽くすることができ、また経済的に好都合である。
【００１９】
前記プラスチック材料は、好都合に透明であり、それによりコネクタ要素の本体を使用者の目に見えるように作ることができる。
【００２０】
スリーブは、好都合にプラスチック材料から作られ、前記プラスチック材料は、例えば着色剤を含み、それによりスリーブに符号化機能を付加することができ、使用者がスリーブを容易に確認することができる
【００２１】
本発明の第二の例示的な実施形態において、プラグおよびスリーブは、例えば二重射出、またはオーバーモールド成形により、単一部品として作られる。
【００２２】
プラグおよびスリーブは、例えば、プラスチック材料から作ることができる。
【００２３】
第二の例示的な実施形態において、本発明は、さらに部品の数を減少することができ、プラグおよびスリーブ両方の働きをする単一の部品により、コネクタ要素の組み立てを簡素化することができ、かつコネクタ要素を取り扱う際に使用者に対し電気的な保護を設けることができる。
【００２４】
プラグおよび／またはスリーブのプラスチック材料は、発光添加剤を好都合に含み、それにより密集した、および／または暗い環境においてより容易にコネクタ要素を見ることができる。
【００２５】
プラグは、内側へ突出した少なくともひとつの弾性タブを好都合に含み、本体は、外表面に少なくともひとつの溝を好都合に含み、弾性タブは、プラグが本体に取り付けられる場合に、溝に挿入されるように好都合に配置される。
【００２６】
異なる形において、プラグは少なくともひとつの空洞を含み、コネクタ要素は少なくともひとつのラグを有する少なくともひとつのリングを含む。前記ラグは、前記空洞と協働するような形状であり、このような方法により、本体およびプラグの間にて双方向に平行移動することを防ぎ、これら二つの部品の間の回転を防ぐことができる。
【００２７】
本体は、外表面の一部または全周にわたって延在し、第一肩部によって片側にへりをつけた溝を外表面に含むことができる。
【００２８】
コネクタ要素は、第一肩部を越え溝の外側へ移動可能な弾性リングと、溝の中を自由に平行移動可能、かつ第一肩部に当接可能な分割平リングとを好都合に含む。
【００２９】
要素の第一肩部による平リングの停止は、分割平リングが溝から外へ動くことを防ぐことによる、弾性リングの非機能な圧縮を回避することを可能にし、それにより、弾性リングが破壊される危険を減らすことができる。
【００３０】
このようなコネクタ要素を相補的なコネクタ要素に接続する場合、前記コネクタ要素の弾性機能は、好都合に平リングを支える弾性リングよって提供され、この弾性機能自体がプラグを支えている。
【００３１】
肩部手段によって、溝はスリーブの螺旋溝に一致するストロークに調整され、それによりコネクタの寿命を延ばすことができる。
【００３２】
バヨネット結合をより容易にするために、プラグの前面をカップ形状にカットすることが可能である。
【００３３】
プラグおよび／またはスリーブは、外表面から突出した少なくともひとつの突起を含むことができ、かつ卵形または楕円形の輪郭にすることができ、それによりプラグの螺旋溝に対しての位置決めを容易にし、使用者による把持を容易にし、はっきりした接続の指標として作用することができる。
【００３４】
本発明においては、プラグおよびスリーブによって構成されたアセンブリは、例えば本体から分離可能にすることができ、これにより必要に応じて、プラグおよび／またはスリーブを破壊することなくコネクタ要素の保守作業を行うことができる。さらに本発明は、本体とプラグおよびスリーブにより構成されたアセンブリとの間の案内を向上することができる。
【００３５】
一例として、コネクタ要素はＢＮＣタイプとすることができる。
【００３６】
限定しない例において、コネクタ要素は例えばインピーダンスが７５オーム（Ω）のコネクタ要素とすることができる。
【００３７】
また本発明の他の例示的な実施形態は、同軸コードを提供し、同軸コードは、
・同軸ケーブルと、
・ケーブルの少なくともひとつの一端に取り付けられた上記に定義されたコネクタ要素と、を備える。
【００３８】
本発明の他の好都合点および特徴は、添付の図を参照にしてなされる限定しない実施形態についての下記の説明を読むことにより明らかになる。
【図面の簡単な説明】
【００３９】
【図１】本発明のコネクタ要素の分解組立図である。
【図２】本発明の第一の実施形態において、互いに締結する前のプラグおよびスレーブを示す。
【図３】本発明の第一の実施形態におけるプラグ、スリーブおよび本体の断面図である。
【図４】本発明の第一の実施形態に基づく同軸コードの一部の透視図である
【図５】本発明の第二の実施形態におけるプラグおよびスレーブの断面図である。
【図６】本発明の第三の実施形態における本体、プラグおよびスリーブの外観図である
【図７】本発明の第三の実施形態におけるプラグが本体に取り付けられた場合の断面図である。
【図８】本発明の第三の実施形態におけるコネクタ要素の図６の詳細図である。
【発明を実施するための形態】
【００４０】
図１は、全体として符号１を付与され、本発明の第一の実施形態を構成するコネクタ要素の例を示す。
【００４１】
コネクタ要素１は、縦軸Ｘを持ち、全体として符号２を付与されたスリーブと、全体として符号３を付与された中空プラグとを含み、これらは共に締結される前の状態として図１に示されており、この第一の実施形態においてスリーブ２およびプラグ３は二つの異なる部品である。
【００４２】
またコネクタ要素１は、全体として符号４が付与された本体、中心コンタクト５、図示されていない絶縁体、ガスケット６、弾性リング７、および同軸ケーブルへ圧着するはめ輪８を含む。
【００４３】
図３に明らかなように、本体４は、後述される目的のために外表面に形成された溝１０を有する後部９を含む。示された例において、溝１０は環状溝である。
【００４４】
図２は、本発明による共に締結される前のスリーブ２、およびプラグ３の例を示す。
【００４５】
明らかなように、中空のプラグ３は、螺旋溝１２が設けられた前部１１を有し、プラグをバヨネット結合により相補的なコネクタに締結することができる。またプラグ３は、外表面に配置された浮き彫りの部分１４および１５を有する後部１３を有する。示された例において、二つのキー１４は、プラグ３の後部１３の外表面と一体になるように作られ、互いに直径の反対方向に位置するが、これら二つのキーを前記外表面に別々に配置することもできる。
【００４６】
また示された例において、プラグ３の後部１３は、プラグ３の前記後部１３の外表面の周囲に延在するリング１５を含む。
【００４７】
図３に示すように、また後部１３は、後述する目的のために外側に突出した二つの弾性タブ１６を含む。
【００４８】
一例としてプラグ３は、透明プラスチック材料、例えばポリカーボネートを射出成形することにより作られる。
【００４９】
図４に示すように、スリーブ２は、プラグ３の後部１３および同軸ケーブル１８を受け入れるのに適したハウジングを形成している。図２に明らかなように、スリーブは、浮き彫り部分２０および２１が設けられた内表面を有する前部１９を有する。
【００５０】
示された例において、スリーブ２の前部１９の内表面は、長軸方向に延在する二つのセットバック２０、およびスリーブ前部１９の内表面の周囲を囲むように延在する環状溝２１を含む。
【００５１】
一例として、スリーブ２は、柔軟なプラスチック材料、例えばポリウレタンにより作られ、このプラスチック材料は着色添加剤を含むことができ、これにより、同軸ケーブルを保護する機能および同軸ケーブルの動きに追随する機能に加える。
【００５２】
スリーブ２およびプラグ３双方は、プラスチック材料に適合するように好都合に選択された発光添加剤を含むプラスチック材料により作られている。
【００５３】
図４に明らかなように、なめらかな表面を形成するために、プラグ３は浮き彫り部分を持たない外表面を提供することができる。
【００５４】
スリーブ２は、外表面が把持部２２を形成するように好都合に整えられ、この把持部２２は例えばローレット切りにより、または粗面を形成することにより得られる、
【００５５】
本発明の第一実施形態において、コネクタ要素１を組み立てる場合、スリーブ２およびプラグ３は、使用者によって分解されないことを保証するような方法にて、最初に互いに締結される。図２に示すように、プラグ３の後部１３はスリーブ２の前部に挿入される。次いで各キー１４は、対応するセットバック２０に収容される。さらにリング１５は、環状溝２１に収容される。
【００５６】
このようにして得られたアセンブリは、次いで本体４に取り付けられ、各弾性タブ１６は、環状溝１０に担持されて前記アセンブリを本体４に保持する。
【００５７】
本発明は、キー１４、リング１５、セットバック２０、溝２１、弾性タブ１６、および溝１０の特定の数または形状に制限されるものではない。
【００５８】
図５は、本発明の第二の実施形態を示す。明らかなように、例えばプラスチック材料の二重射出またはオーバーモールド成形によってプラグ３は、スリーブ２と一体に作られることが可能である。スリーブ２の内表面は図３を参照して示されたものと類似した弾性タブ１６を有する。
【００５９】
本発明は、上記に示された例に限定されるものではない。
【００６０】
例は、ＢＮＣタイプコネクタを作るために、バイヨネット結合手段により対応するコネクタ要素に接続するためのコネクタに関し説明されたが、本発明は他のタイプの結合に使用するコネクタ要素に適用することができる。
【００６１】
示された例において、コネクタ要素は、中心コンタクトを１つだけ有するが、本発明は、コネクタ要素に対しひとつ以上の中心コンタクト、例えば二つの中心コンタクトの存在を除外するものではない。
【００６２】
図６は、本発明の第三の実施形態を示す。
【００６３】
この実施形態において、プラグ３およびスリーブ２は、本発明の第二の実施形態として示されたように、単一の部品として作られることができ、または発明の第一の実施形態として示されたように共に締結された二つの異なる部品として作られることができる。
【００６４】
説明された例に示されるように、プラグ３およびスリーブ２は、縦軸Ｘに沿って延在する突起４０を含む。この突起４０は、スリーブおよび／またはプラグの全長にわたって、またはスリーブおよび／またはプラグの一部のみに延在することができる。示された例において、突起４０は連続的に延在するが、変形として非連続的に延在することも可能である。
【００６５】
図６に示すように、プラグ３の少なくとも前端４１に向かって、突起４０は中空とすることができ、以下に述べる目的のために空洞４２を形成する。示された実施形態において、プラグ３およびスリーブ２は、それぞれが空洞４２を形成している、直径の反対方向にある二つの突起４０を含む。
【００６６】
さらに示された実施形態において、プラグ３およびスリーブ２は、卵形のまたは楕円形の輪郭を提供する。
【００６７】
以下に図８を参照し、本体４を説明する。
【００６８】
示されるように、本体は、中に主溝４３が形成された中間部４５を含み、示された実施形態において主溝は、本体の縦軸（Ｘ）の回り全体に延在する。第二溝４４は、前記主溝４３の後端に形成されている。
【００６９】
図８に示されるように、主溝４３は、カラー５１により前方に向かって境界が定められ、第二肩部４７により後方に向かって境界が定められる。第二溝４４は、主溝４３の下部に形成された第一肩部４６により本体４の前に対する境界が定められ、および第二肩部４７によって本体４の後ろに対する境界が定められる。弾性リング４８は中間部４５に収容されており、このリング４８は分割平リング５０に対して後側にて当接し、分割平リングは、第二溝４４に押し込められているとともに、第一肩部４６に対し平行に前方へ移動することを防いでいる。弾性リング４８は、中間部４５内において第二溝４４を越えて前へ移動することができ、例えばカラー５１に当接する。
【００７０】
平リング５０は、弾性リング４８の平行移動を後ろ側にとめる働きをし、いったん組み立てが完了すると、弾性リング４８が主溝４３から脱出することを防ぐように働く。
【００７１】
図６および図８に示すように、実施形態におけるコネクタ要素１は、また二つのラグ５３を有するリング５２を含むことができる示された実施形態において、各ラグ５３は空洞４２内部に収容されるように構成され、リング５２のプラグ３に対する回転を防ぐ。スリーブ２およびプラグ２により形成されたアセンブリが本体４に取り付けられる際、図７に示すように、前記アセンブリは、リング５２が溝４２中において第二肩部４７と分割平リング５０との間にスナップ締結されるまで同軸ケーブルに沿ってスライドさせることにより本体４とかみ合う。
【００７２】
本発明は、同軸コードの把持を改善するための、従来の解決方法より安価な解決方法を提供し、工場におけるコネクタ要素組み立てを簡素化することにより、コネクタ要素を作るためにより少ない要素部品を使用することにより、かつ重量の軽い解決方法を提示することによりこの改善がなされる。
【００７３】
また本発明は、異なる直径の同軸ケーブルに同じプラグおよび／または同じスリーブを使用することができる。
【符号の説明】
【００７４】
１  コネクタ要素
２  スリーブ
３  プラグ
４  本体
５  中心コンタクト
６  ガスケット
７  弾性リング
８  はめ輪
９  後部
１０  溝
１１  前部
１２  螺旋溝
１３  後部
１４  キー
１５  リング
１６  弾性タブ
１８  同軸ケーブル
１９  前部
２０  セットバック
２１  環状溝
２２  把持部
４０  突起
４１  前端
４２  空洞
４３  主溝
４４  第二溝
４５  中間部
４６  第一肩部
４７  第二肩部
４８  弾性リング
５０  分割平リング
５１  カラー
５２  リング
５３  ラグ
【図１】
2010092862.tif 000003
【図２】
2010092862.tif 000004
【図３】
2010092862.tif 000005
【図４】
2010092862.tif 000006
【図５】
2010092862.tif 000007
【図６】
2010092862.tif 000008
【図７】
2010092862.tif 000009
【図８】
2010092862.tif 000010
【外国語明細書】
2010092862.tif 000011
2010092862.tif 000012
2010092862.tif 000013
2010092862.tif 000014
2010092862.tif 000015
2010092862.tif 000016
2010092862.tif 000017
2010092862.tif 000018
2010092862.tif 000019
2010092862.tif 000020
2010092862.tif 000021
2010092862.tif 000022
2010092862.tif 000023
2010092862.tif 000024
2010092862.tif 000025
2010092862.tif 000026
2010092862.tif 000027
2010092862.tif 000028